(57)【要約】【課題】  傘の着脱操作が容易であり、傘の装着状態も安定し、身体の胴部前面における傘保持具取り付け位置も比較的自由に選べる傘保持具を提供する。【解決手段】  傘保持具２は、受け部５を備えた保持具本体６と、受け部５に傘の柄を押し付けて挟持固定する可動押圧部７と、可動押圧部７を有し、保持具本体６に支持された摺動杆８と、摺動杆８に嵌合し、往復揺動することによって摺動杆８を摺動させる摺動杆駆動部材１４、１５と、摺動杆駆動部材１４、１５を揺動させる装着用操作レバーと、摺動杆８が摺動するのを係止する摺動杆係止部材１６と、摺動杆８の係止状態を解除する摺動杆係止解除手段１０と、一対の保持具本体６を固着したマジックシート３と、を備えている。【選択図】図１
2013244333.tif 000002
【特許請求の範囲】
【請求項１】
傘の柄を垂直に保持する受け部を一端面に備えた装着具本体と、
前記受け部と対向し該受け部に前記傘の柄を押し付けることにより該傘の柄を前記受け部との間で挟持固定する可動押圧部と、
該可動押圧部を有し、前記受け部に対して接離方向に摺動自在に前記装着具本体に支持された摺動杆と、
前記可動押圧部を前記受け部から遠ざける向きに前記摺動杆に移動習性を与えるばねと、
前記装着具本体内において前記摺動杆に嵌合し、一端を支点に揺動自在な板片であって、往復揺動することによって前記ばねの弾力に抗して前記可動押圧部を前記受け部に近付ける向きに前記摺動杆を摺動させる摺動杆駆動部材と、
前記装着具本体に揺動自在に設けられたレバーであって、往復揺動させることにより前記摺動杆駆動部材を揺動させる装着用操作レバーと、
前記装着具本体内において前記摺動杆に嵌合し、一端を支点に揺動自在な板片であって、前記可動押圧部が前記受け部から遠ざかる向きに前記摺動杆が摺動するのを係止する摺動杆係止部材と、
前記摺動杆の摺動杆係止部材による係止状態を解除する摺動杆係止解除手段と、
着衣の胴部に装着した状態において上下に位置する一対の前記装着具本体を表面に固着したマジックシートと、
を備えたことを特徴とする傘装着具。
【請求項２】
請求項１に記載の傘装着具において、
前記マジックシートは、一対の前記装着具本体の中間部分で折畳み自在であることを特徴とする傘装着具。
【請求項３】
請求項１または２に記載の傘装着具において、
前記受け部と前記可動押圧部が弾性部材であることを特徴とする傘装着具。
【請求項４】
請求項１乃至３の何れか一つに記載の傘装着具において、
前記装着用操作レバーと前記摺動杆係止解除部材とが前記装着具本体の上面において、前記摺動杆の摺動方向に併設されていることを特徴とする傘装着具。
【請求項５】
請求項１乃至４の何れか一つに記載の傘装着具において、
前記着衣は、その胴部にパイル状を有するマジックシートが設けられたチョッキであることを特徴とする傘装着具。
【請求項６】
請求項１乃至５の何れか一つに記載の傘装着具において、
前記チョッキは、その胴部の寸法が調整自在であることを特徴とする傘装着具。
【発明の詳細な説明】
【技術分野】
【０００１】
本発明は、身体の胴部に傘の柄を装着する傘装着具に関する。
【背景技術】
【０００２】
降雨時などに傘を身体に装着することにより両手を使用できるようにした傘装着具は、傘の柄を取り付け固定する手段として締め付けねじやマジックテープ（登録商標）を利用したものが知られている。また、傘装着具を身体に装着する手段としては、傘装着具を取り付けた、身体に巻き付けるベルトが用いられている。
【先行技術文献】
【特許文献】
【０００３】
【特許文献１】特開２００４−２２９７８５号公報
【特許文献２】特開２００４−１６７９３号公報
【特許文献３】特開２００２−１４２８２３号公報
【発明の概要】
【発明が解決しようとする課題】
【０００４】
締め付けねじを利用した傘の取り付け固定手段を用いた傘装着具では、傘装着具に傘を着脱する際に締め付けねじを回転させる操作が必要であり、また、マジックテープ（登録商標）を利用した傘の取り付け固定手段を用いた傘装着具では、傘装着具に傘を安定的に強固に装着することの困難性を伴う。さらに、傘装着具を身体に装着する手段として巻き付けるベルトを用いた場合、身体の胴部前面における傘装着具取り付け位置の選択が難しい。
本発明は、傘装着具への傘の着脱操作が容易であり、傘の傘装着具への装着状態も安定し、身体の胴部前面における傘装着具取り付け位置の選択も比較的自由に選べる傘装着具の提供を目的とする。
【課題を解決するための手段】
【０００５】
上記目的を達成するために、請求項１に記載の発明は、身体の胴部に傘の柄を装着する傘装着具において、傘の柄を垂直に装着する受け部を一端面に備えた装着具本体と、前記受け部と対向し該受け部に前記傘の柄を押し付けることにより該傘の柄を前記受け部との間で挟持固定する可動押圧部と、該可動押圧部を有し、前記受け部に対して接離方向に摺動自在に前記装着具本体に支持された摺動杆と、前記可動押圧部を前記受け部から遠ざける向きに前記摺動杆に移動習性を与えるばねと、前記装着具本体内において前記摺動杆に嵌合し、一端を支点に揺動自在な板片であって、往復揺動することによって前記ばねの弾力に抗して前記可動押圧部を前記受け部に近付ける向きに前記摺動杆を摺動させる摺動杆駆動部材と、前記装着具本体に揺動自在に設けられたレバーであって、往復揺動させることにより前記摺動杆駆動部材を揺動させる装着用操作レバーと、前記装着具本体内において前記摺動杆に嵌合し、一端を支点に揺動自在な板片であって、前記可動押圧部が前記受け部から遠ざかる向きに前記摺動杆が摺動するのを係止する摺動杆係止部材と、前記摺動杆の摺動杆係止部材による係止状態を解除する摺動杆係止解除手段と、着衣の胴部に装着した状態において上下に位置する一対の前記装着具本体を表面に固着したマジックシートと、を備えたことを特徴とする。
【０００６】
請求項２に記載の発明は、請求項１に記載の傘装着具において、前記マジックシートは、一対の前記装着具本体の中間部分で折畳み自在であることを特徴とする。
請求項３に記載の発明は、請求項１または２に記載の傘装着具において、前記受け部及び前記可動押圧部が弾性部材であることを特徴とする。
請求項４に記載の発明は、請求項１乃至３の何れか一つに記載の傘装着具において、前記装着用操作レバーと前記摺動杆係止解除部材とが前記装着具本体の上面において、前記摺動杆の摺動方向に併設されていることを特徴とする。
【０００７】
請求項５に記載の発明は、請求項１乃至４の何れか一つに記載の傘装着具において、前記着衣は、その胴部にパイル状を有するマジックシートが設けられたチョッキであることを特徴とする。
請求項６に記載の発明は、請求項１乃至５の何れか一つに記載の傘装着具において、前記チョッキは、その胴部の寸法が調整自在であることを特徴とする。
【発明の効果】
【０００８】
本発明によれば、傘装着具への傘の着脱操作が容易であり、傘装着具への傘の装着状態も安定し、身体の胴部前面における傘装着具取り付け位置も比較的自由に選べるので傘装着具の効率を高めることができる。
【図面の簡単な説明】
【０００９】
【図１】本発明の一実施形態に係る傘装着具を上方から見た斜視図である。
【図２】傘装着具の平面図である。
【図３】図２のＡ−Ａ断面図であって、傘の柄の挟持固定部が開いている状態を示す。
【図４】図２のＡ−Ａ断面図であって、傘の装着用操作レバーの操作状況を示す。
【図５】図２のＡ−Ａ断面図であって、傘の柄の挟持固定した状態を示す。
【図６】傘の柄を挟持固定する可動押圧部を受け部に近付ける向きに駆動する摺動杆駆動部材を示す斜視図である。
【図７】傘を装着する着衣であるチョッキに傘の柄が装着されている状況を示す正面図である。
【図８】胴部周囲長の調節マジックシートを有するチョッキの背面図である。
【発明を実施するための形態】
【００１０】
以下、本発明の実施形態を説明する。
図７において、傘の柄１をその下部における上下二箇所で挟持固定する傘装着具２はマジックシート３に設けられ、このマジックシート３は着衣であるチョッキ４の胴部前面に設けられたマジックシート４aに装着される。下方の傘装着具２は手元（ハンドル）を挟持する。本発明において、マジックシートとは幅広いマジックテープ（登録商標）を意味する。マジックシート３はフック状を、マジックシート４aはパイル状をそれぞれ備える。
【００１１】
図１、２において、傘装着具２は、傘の柄１を垂直に装着する受け部５を一端面６ａに設けた装着具本体６と、柄１を受け部５との間で挟持固定する可動押圧部７と、この可動押圧部７を一端に備えた摺動杆８と、この摺動杆８を駆動する装着用操作レバー９と、受け部５と可動押圧部７とによる柄１の挟持固定を解除する解除操作ボタン１０と、装着具本体６を表面に固着したマジックシート３と、を備えている。
【００１２】
可動押圧部７は、摺動杆８の先端部に固着された支持板１１の内面に設けられている。受け部５と可動押圧部７は共に弾性部材であるゴム製であり、互いの対向面は浅いＶ溝を形成している。
装着具本体６の端面６ａと支持板１１との間には、摺動杆８を緩く挿入したコイルばね１２が設けられており、可動押圧部７を受け部５から離間させる向きの移動習性を摺動杆８に与えている。
摺動杆８のばね１２による移動は、装着具本体６の端面６ａと対向する端面６ｂから突出した摺動杆８に設けられたピン１３により規制される。
【００１３】
装着具本体６の内部には、図３に示すように、互いに重なり合った同型の２個の板片からなる摺動杆駆動部材１４、１５と、同じく板片からなる摺動杆係止部材１６と、斜面１７aを有する摺動杆係止解除部材１７が配置されている。
【００１４】
摺動杆駆動部材１４、１５は、それぞれ摺動杆８に緩く嵌合しており（図６参照）、装着具本体６の内側面と摺動杆駆動部材１５との間で摺動杆８に緩く券き付けられたばね１８によって、装着具本体６に形成された支持枠１９に押し付けられている。なお、摺動杆８の移動動作が強固に行われるように、摺動杆駆動部材が二枚用いられているが、構成によっては一枚でもよい。
摺動杆係止部材１６は、摺動杆駆動部材１４、１５と同様、摺動杆８に緩く嵌合しており、支持枠１９と摺動杆係止部材１６との間で摺動杆８に緩く券き付けられたばね２０によって、その下端が装着具本体６に固定された支点棒２１に押し付けられている。
摺動杆係止解除部材１７は、解除操作ボタン１０の軸の下端に固定されており、解除操作ボタン１０は、ばね２２により上方に押し上げられている。解除操作ボタン１０は、装着具本体の上面において、装着用操作レバー９と摺動杆８の摺動方向に併設されている。
【００１５】
装着用操作レバー９は、軸２３によって装着具本体６に揺動自在に枢着されている。
装着用操作レバー９の下端９aは摺動杆駆動部材１４の上端部に対向しており、図４に示すように、装着用操作レバー９を指を以って揺動操作することにより摺動杆駆動部材１４、１５を揺動させる。この摺動杆駆動部材１４、１５の揺動により摺動杆駆動部材１４、１５の楔作用によって、可動押圧部７を受け部５に近付ける向きに摺動杆８をばね１２の弾力に抗して移動させ、傘に柄１を可動押圧部７と受け部５とにより挟持固定する。
【００１６】
摺動杆８の、可動押圧部７が受け部５から遠退く向きへの移動は、図５に示すように、摺動杆係止部材１６のばね２０による傾きにより生じる摺動杆係止部材１６の楔作用によって阻止され、受け部５と可動押圧部７とで傘の柄は固定保持される。
この固定保持の解除は、図５において、解除操作ボタン１０を指先で押し込み、摺動杆係止解除部材１７の斜面１７aで摺動杆係止部材１６をばね２０に抗して起立させることにより行われ、この解除操作により摺動杆８は可動押圧部７を受け部５から遠ざけた図３に示す位置に復帰し、傘装着具から傘を取り外すことができる。
【００１７】
受け部５を有する装着具本体６、可動押圧部７を一端に備えた摺動杆８、摺動杆駆動部材１４、摺動杆８を駆動する装着用操作レバー９及び解除操作ボタン１０を備えた、例えばプラモデルを固定する装着具は、ラチェットバークランプ（商品名）として知られている。
【００１８】
図７において既に述べたように、傘の柄１を上下二箇所で挟持固定する傘装着具２を二箇所に設けたマジックシート３は、２個の傘装着具間で軽く折り畳められる程度の柔軟性を有し、マジックシート３をマジックシート４aから取り外した状態で一方の傘装着具２を傘の柄１から外してマジックシート３を折り曲げて保持することにより、傘装着具２を取り付けた状態のままでの傘の持ち歩きが容易になる。
【００１９】
マジックシート４aが設けられたチョッキ４は、これに傘が装着された状態で身体に対して緩みがあると、装着傘が異常に揺れ動く不安定さを生じので、これを防止するために、チョッキ４は、その背中側の内側面又は外側面においてチョッキの胴部の寸法を調整する手段を備えている。
図８には、チョッキ４の背中側の外側面に、それぞれの基端部２５a、２６aをチョッキ４に固着したマジックテープ（登録商標）２５、２６の重なり量を適宜変えることにより、チョッキ胴部の寸法調整を図る手段を示す。
【符号の説明】
【００２０】
１  傘の柄
２  傘装着具
３  マジックシート
４  チョッキ
５  受け部
６  装着具本体
７  可動押圧部
８  摺動杆
９  装着用操作レバー
１０  解除操作ボタン
１４、１５  摺動杆駆動部材
１６  摺動杆係止部材
１７  摺動杆係止解除部材
２５、２６  マジックテープ（登録商標）
【図１】
2013244333.tif 000003
【図２】
2013244333.tif 000004
【図３】
2013244333.tif 000005
【図４】
2013244333.tif 000006
【図５】
2013244333.tif 000007
【図６】
2013244333.tif 000008
【図７】
2013244333.tif 000009
【図８】
2013244333.tif 000010
【手続補正書】
【提出日】平成24年6月27日(2012.6.27)
【手続補正２】
【補正対象書類名】図面
【補正対象項目名】図３
【補正方法】変更
【補正の内容】
【図３】
2013244333.tif 000011
【手続補正書】
【提出日】平成24年8月29日(2012.8.29)
【手続補正１】
【補正対象書類名】明細書
【補正対象項目名】０００７
【補正方法】変更
【補正の内容】
【０００７】
請求項５に記載の発明は、請求項１乃至４の何れか一つに記載の傘装着具において、前記着衣は、その胴部にパイル状を有するマジックシートが設けられたチョッキであることを特徴とする。
請求項６に記載の発明は、請求項５に記載の傘装着具において、前記チョッキは、その胴部の寸法が調整自在であることを特徴とする。
【手続補正２】
【補正対象書類名】特許請求の範囲
【補正対象項目名】全文
【補正方法】変更
【補正の内容】
【特許請求の範囲】
【請求項１】
傘の柄を垂直に保持する受け部を一端面に備えた装着具本体と、
前記受け部と対向し該受け部に前記傘の柄を押し付けることにより該傘の柄を前記受け部との間で挟持固定する可動押圧部と、
該可動押圧部を有し、前記受け部に対して接離方向に摺動自在に前記装着具本体に支持された摺動杆と、
前記可動押圧部を前記受け部から遠ざける向きに前記摺動杆に移動習性を与えるばねと、
前記装着具本体内において前記摺動杆に嵌合し、一端を支点に揺動自在な板片であって、往復揺動することによって前記ばねの弾力に抗して前記可動押圧部を前記受け部に近付ける向きに前記摺動杆を摺動させる摺動杆駆動部材と、
前記装着具本体に揺動自在に設けられたレバーであって、往復揺動させることにより前記摺動杆駆動部材を揺動させる装着用操作レバーと、
前記装着具本体内において前記摺動杆に嵌合し、一端を支点に揺動自在な板片であって、前記可動押圧部が前記受け部から遠ざかる向きに前記摺動杆が摺動するのを係止する摺動杆係止部材と、
前記摺動杆の摺動杆係止部材による係止状態を解除する摺動杆係止解除手段と、
着衣の胴部に装着した状態において上下に位置する一対の前記装着具本体を表面に固着したマジックシートと、
を備えたことを特徴とする傘装着具。
【請求項２】
請求項１に記載の傘装着具において、
前記マジックシートは、一対の前記装着具本体の中間部分で折畳み自在であることを特徴とする傘装着具。
【請求項３】
請求項１または２に記載の傘装着具において、
前記受け部と前記可動押圧部が弾性部材であることを特徴とする傘装着具。
【請求項４】
請求項１乃至３の何れか一つに記載の傘装着具において、
前記装着用操作レバーと前記摺動杆係止解除部材とが前記装着具本体の上面において、前記摺動杆の摺動方向に併設されていることを特徴とする傘装着具。
【請求項５】
請求項１乃至４の何れか一つに記載の傘装着具において、
前記着衣は、その胴部にパイル状を有するマジックシートが設けられたチョッキであることを特徴とする傘装着具。
【請求項６】
請求項５に記載の傘装着具において、
前記チョッキは、その胴部の寸法が調整自在であることを特徴とする傘装着具。